(57)【要約】      （修正有）【課題】熱交換器の冷媒入口又は出口パイプのヘッダパイプに対する初期取付け特性とろう付け特性を改善する。【解決手段】冷媒入口又は出口パイプ２０の取付け孔１０ｂをヘッダパイプ１０の冷媒管接続孔１０ａとは反対側の側面に形成し、前記冷媒入口又は出口パイプ２０を前記取付け孔１０ｂに挿入し、パイプ拡張工具３０をヘッダパイプ１０の内部において前記冷媒入口又は出口パイプ２０の一端に挿入し、前記パイプ拡張工具３０を支持する支持板４０を前記冷媒管接続孔１０ａを通して挿入し、冷媒入口又は出口パイプ２０の一端部に形成されたビード２０ａを、前記ヘッダパイプ１０の外壁に対して圧接することができる圧縮器５０を設置し、前記冷媒入口又は出口パイプ２０の端部に前記支持板４０を介して前記パイプ拡張工具３０を押しつけることにより、前記冷媒入口又は出口パイプ２０の前記端部を拡張し、前記支持板４０と前記パイプ拡張工具３０を取り外す。【選択図】図４
2005313233.tif 000002
【特許請求の範囲】
【請求項１】
冷媒入口又は出口パイプを熱交換器へのヘッダパイプへ初期取付けする方法において、
（１）冷媒入口又は出口パイプ取付け孔をヘッダパイプの冷媒管接続孔とは反対側の側面に形成し、それに加えてヘッダパイプの曲率に沿って固定されるべきビードを冷媒入口又は出口パイプの一端部に形成し、
（２）前記冷媒入口又は出口パイプの一端を前記取付け孔に挿入し、
（３）パイプ拡張工具をヘッダパイプの内部において前記冷媒入口又は出口パイプの前記一端に挿入し、
（４）前記パイプ拡張工具を支持する支持板を前記冷媒管接続孔を通して挿入し、前記ビードを前記ヘッダパイプの外壁に対して圧接することができる圧縮器を設置し、
（５）前記冷媒入口又は出口パイプの端部に前記支持板を介して前記パイプ拡張工具を押しつけることにより前記冷媒入口又は出口パイプの前記端部を拡張し、次いで
（６）前記支持板と前記パイプ拡張具を取り外すことより成る、初期取付け方法。
【発明の詳細な説明】
【技術分野】
【０００１】
本発明は空調器エアコンの熱交換器に関し、より詳しくは、冷媒入口・出口パイプを熱交換器のヘッダパイプへろう付けするに先だって行われる初期取付けに関する。
【背景技術】
【０００２】
凝縮器のような空調器の熱交換器は多数の冷媒管を備えることにより、冷媒管の内部を流れる熱交換媒体である冷媒と外気との間に効率の良い熱交換を行う。これらの冷媒管の端部はヘッダパイプに接続されて冷媒に対する流路を形成する。
【０００３】
ヘッダパイプの一側面には冷媒入口及び／又は出口パイプが設けられている。一般にヘッダパイプと入口及び／又は出口パイプの完全な結合は、冷媒入口及び／又は出口パイプをヘッダパイプの冷媒管とは反対側の側面に取付け、ろう付け部位にクラッド材を有する他の部材に対してろう付けすることにより行われる。
【０００４】
具体的に説明すると、図１に示したように、冷媒入口又は出口パイプの初期取付けは、冷媒管接続孔１００ａの反対側においてヘッダパイプ１００に冷媒入口又は出口パイプ取付け孔１００ｂを形成し、次いで冷媒入口及び出口パイプ２００の一端部を取付け孔１００ｂに挿入することにより行われる。この時、別個のワッシャ２１０が冷媒入口及び出口パイプの一端に挿入され、それがヘッダパイプ１００の取付け孔１００ｂの外壁に接触する。ろう付けワッシャ２１０はこうしてヘッダパイプ１００の外面に固定される。これに加えて、冷媒入口又は出口パイプ２００の他端はヘッダパイプ１００のブラケット３００に固定される。
【発明の開示】
【発明が解決しようとする課題】
【０００５】
しかしながら、上に述べたように、従来の冷媒入口及び出口パイプの初期取付け法では、冷媒入口又は出口パイプ２００の一端部がヘッダパイプ１００の取付け孔１００ｂに挿入される。この状態でワッシャ２１０はろう付けにより取付け領域に結合される。このろう付け工程中に、ヘッダパイプ１００の冷媒入口又は出口パイプ２００とワッシャ２１０の位置関係は適正に維持できないので、不完全なろう付け結合を生じる問題がある。
【０００６】
従って本発明の目的は上記の問題を解決することを目的とする。すなわち本発明は冷媒入口及び／又は冷媒出口パイプを熱交換器へのヘッダパイプへ初期取付けし、次いでろう付けする改良された方法を提供することを目的とする。
【課題を解決するための手段】
【０００７】
上記の目的を達成するために本発明は冷媒入口及び／又は出口パイプを熱交換器へのヘッダパイプへ初期取付けする方法を提供するものであり、この方法は
（１）冷媒入口又は出口パイプ取付け孔をヘッダパイプの冷媒管接続孔とは反対側の側面に形成し、それに加えてヘッダパイプの曲率に沿って固定されるべきビードを冷媒入口又は出口パイプの一端部に形成し、
（２）前記冷媒入口又は出口パイプの一端を前記取付け孔に挿入し、
（３）パイプ拡張工具をヘッダパイプの内部において前記冷媒入口又は出口パイプの前記一端に挿入し、
（４）前記パイプ拡張工具を支持する支持板を前記冷媒管接続孔を通して挿入し、前記ビードを前記ヘッダパイプの外壁に対して圧接することができる圧縮器を設置し、
（５）前記冷媒入口又は出口パイプの端部に前記支持板を介して前記パイプ拡張工具を押しつけることにより前記冷媒入口又は出口パイプの前記端部を拡張し、次いで
（６）前記支持板と前記パイプ拡張具を取り外すことより成る、初期取付け方法。
初期取付け方法である。
【発明の効果】
【０００８】
本発明の方法は、冷媒入口及び／又は出口パイプをヘッダパイプへ初期取付けとろう付け結合を改善し、熱交換の機能を保全に効果を発揮する。
【発明を実施するための最良の形態】
【０００９】
次に、本発明を実施例に関連して詳しく説明する。図２〜図４は本発明による冷媒入口及び出口パイプの初期取付け方法を例示している。
先ず、図１に示すように複数の冷媒管接続孔１０ａがヘッダパイプ１０の片側側面に掲載され、ヘッダパイプ１０のこれらの冷媒管接続孔１０ａの反対側の側面に、冷媒入口又は出口パイプ２０のための取付け孔１０ｂが形成される。これに加えて、冷媒入口又は出口パイプ２０の上端には、ビード２０ａがヘッダパイプの曲率に合わせて形成される。このビードの形成は冷媒入口及び出口パイプ２０の製作時に一緒に形成されることが望ましい。このビード２０ａは従来のビードに置きかわるものである。
【００１０】
次に、図１と同様に、冷媒入口又は出口パイプ２０の端部はヘッダパイプ１０の冷媒入口又は出口パイプ取付け孔１０ｂに挿入される。この時に、冷媒入口又は出口パイプ２０のビード２０ａはヘッダパイプ１０の表面に密着結合しなければならない。
次に、図３のように、拡張工具３０がヘッダパイプ１０に挿入される。拡張工具３０の全面は冷媒入口又は出口パイプ２０の端部に直接対面しなければならない。
【００１１】
次に、支持板４０が拡張工具３０を支持するためにヘッダパイプ１０の底に配置される。支持板は、冷媒管接続孔１０ａに一致する間隔を有する多くの支持柱４０ａを保持して折り、これらの支持柱はヘッダパイプ１０の冷媒管接続孔１０ａに挿通されて拡張工具３０の下側を支持することができる。
【００１２】
さらに、冷媒入口又は出口パイプ２０の外側に固定されたビード２０ａがヘッダパイプ１０上で移動することを防止するために、ビード２０ａは圧縮器５０を使用してヘッダパイプ１０に圧接される。
【００１３】
次に、図４に示したように、支持板４０が押し上げられて拡張工具３０を押し、それにより拡張工具３０が冷媒入口又は出口パイプ２０の端部を拡張する。従って、拡張部分２０ｂが冷媒入口又は出口パイプ２０の端部においてヘッダパイプ１０の内壁にかしめ付けられる。この拡張部２０ｂとヘッダパイプ１０の外面へのビード２０ａの圧接により、冷媒入口又は出口パイプ２０はヘッダパイプ１０の内外壁にしっかりと固定される。
【００１４】
このようにして、拡張部が完成されると、支持板４０は引き下げられ、拡張工具３０がヘッダパイプ１０の内部から引き出される。こうして冷媒入口又は出口パイプ２０のヘッダパイプ１０への初期取付は完了し、この時点でろう付けが行われる。
【００１５】
上記のように、本発明ではビード２０ａがヘッダパイプ１０の外壁に圧接され、冷媒入口又は出口パイプ２０の端部が合体される一方、拡張部２０ｂがヘッダパイプ１０の内壁に固着される。その結果、冷媒入口又は出口パイプ２０のヘッダパイプ１０に対する初期取付けがきわめて確実に維持され、次工程でのろう付けにおける結合が卓越したものとなる。
【図面の簡単な説明】
【００１６】
【図１】従来の方法により組み立てられたヘッダパイプと冷媒入口又は出口パイプの初期取付を示す図である。
【図２】本発明に従って、冷媒入口又は出口パイプをヘッダパイプの取付け孔に挿入する工程を示す図である。
【図３】本発明に従って、冷媒入口又は出口パイプをヘッダパイプの取付け孔に挿入する直前の状態を示す図である。
【図４】本発明に従って、冷媒入口又は出口パイプをヘッダパイプの端部を拡張した状態を示す図である。
【符号の説明】
【００１７】
１０  ヘッダパイプ
１０ａ  複数の冷媒管接続孔
１０ｂ  取付け孔
２０  冷媒入口又は出口パイプ
２０ａ  ビード
２０ｂ  拡張部
３０  拡張工具
４０  支持板
４０ａ  支持柱
５０  圧縮器
【図１】
2005313233.tif 000003
【図２】
2005313233.tif 000004
【図３】
2005313233.tif 000005
【図４】
2005313233.tif 000006